(57)【特許請求の範囲】
【請求項１】
紙層と表裏の表面に熱可塑性樹脂層を設けた積層シートから形成され、側壁板と、端壁
板と、上蓋とを有する紙箱であって、前記上蓋は、前記側壁板の上端より延びて、互いに重なり合って上端開口部を閉じる側壁側フラップと、該側壁側フラップと一体的である端壁側フラップとを有し、前記端壁側フラップは、前記端壁板に押圧された状態で位置するように下方に折り曲げることができる三角形の翼部をなし、前記端壁板には、前記端壁側フラップの上端から該端壁板の下方に延在する中央折罫が形成され、これにより、前記端壁板は、内側に屈曲して凹部をなすことができ、前記翼部が水平線を越えて端壁板方向下方に折り曲げられたとき、前記端壁板は内側に屈曲せしめられると共に、前記側壁板は互いに近接せしめられることができ、内側に屈曲した前記端壁板に対して下方向に押圧された翼部により、側壁側フラップは上端開口部を閉じかつ重なり合った状態に保持され、かつ、前記上蓋が切り取り可能になっているとともに、前記端壁板が、いずれか一方の側壁板に延設された内側端壁板と、他の側壁板に延設された外側端壁板の２重壁でなり、前記外側端壁板と前記底面板に２辺が接続した略三角形の底面側フラップを有し、該底面側フラップは２つ折りされて略三角形の底側翼部を形成し、下方に折り曲げられて前記底面板の外側に接し、前記内側端壁板には端壁側貼り合せ片と底面側貼り合せ片が連設され、前記端壁側貼り合せ片は折り返されて、前記外側端壁板との間に融着され、前記底面側貼り合せ片は、前記底面側フラップの２つ折りされた間に融着されていることを特徴とする紙箱。
【請求項２】
前記上蓋の切り取りのために、易切断線が設けられていることを特徴とする請求項１に記載の紙箱。
【請求項３】
前記易切断線が線状に並んだ複数の切れ目と切れ目間の継ぎ目からなることを特徴とする請求項２に記載の紙箱。
【請求項４】
前記易切断線が２本並列に設けられた易切断帯が設けられていることを特徴とする請求項２または３に記載の紙箱。
【請求項５】
前記端壁側フラップに三角形の折罫が予め付けられており、前記側壁側フラップを共に折り曲げたときに三角形の前記翼部が形成されやすくなっていることを特徴とする請求項１から４のいずれか１項に記載の紙箱。
【請求項６】
前記端壁板の下端部には、下端の両隅からそれぞれ上方内側に延びて、前記中央折罫上のある一点で交差する２本の折罫が設けられていることを特徴とする請求項１から５のいずれか１項に記載の紙箱。
【発明の詳細な説明】
【技術分野】
【０００１】
本発明は、紙箱に関するものである。
【背景技術】
【０００２】
電子レンジで半調理品などを加熱調理することが行われている。例えば、プラスチックのトレーや紙製のトレーなどの容器本体にフリーズドライ食品や調味液などが同梱されて蓋材などで包装された商品がある。
【０００３】
このような商品では、蓋材などを開封し、容器本体に内容物をあけて、必要に応じて水などを加え、蓋をして電子レンジで加熱調理するものがあるが、蒸らし効果がなく効率よく均等に加熱することができなかった。
【０００４】
また、消費者が家庭で肉や野菜などの食材を家庭で加えて調理するような用途としても、蒸らし効果がないと、広範囲な調理容器として使用することが出来なかった。一方、電子レンジで加熱調理するものではないが、簡単に蓋を閉じた状態維持することができ、ある程度の力を加えないと開封されない容器がある。
【０００５】
これは、側壁と端壁と上蓋とを有する容器で、上蓋は、互いに重なり合って容器を閉じる側壁側フラップと、該側壁側フラップと一体的である端壁側フラップとを有し、端壁側フラップは、端壁に押圧された状態で位置するように下方に折り曲げることができる三角形の翼部をなし、端壁には、端壁側フラップの上端から該端壁の長手方向下方に延在する中央折線が形成され、これにより、端壁は、内側に屈曲して凹部をなすことができ、翼部が水平線を越えて端壁方向下方に折り曲げられたとき、端壁は内側に屈曲せしめられると共に、側壁は互いに近接せしめられることができ、内側に屈曲した端壁に対して下方向に押圧された翼部により、側壁側フラップは、容器の上部において、閉じかつ重なり合った状態に保持されるものである（特許文献１）。
【０００６】
公知文献を以下に示す。
【先行技術文献】
【特許文献】
【０００７】
【特許文献１】特許第３１０１３２４号公報
【発明の概要】
【発明が解決しようとする課題】
【０００８】
特許文献１に記載の箱は、この容器を電子レンジでの調理容器とした場合、開封したときに、側壁側フラップと一体的であることや端壁側フラップが上に立ち上がるため、そのまま食器として用いて食べようとすると、邪魔になって食べにくい。
【０００９】
本発明は、簡単に蓋を閉じた状態することができ、ある程度の力を加えないと開くことがなく、電子レンジ加熱で蒸らし効果があり、電子レンジで加熱調理後、移し変えることなく、食器として用いることができる紙箱を提供することを課題とする。
【課題を解決するための手段】
【００１０】
本発明は係る課題に鑑みなされたものであり、請求項１の発明は、紙層と表裏の表面に熱可塑性樹脂層を設けた積層シートから形成され、側壁板と、端壁板と、上蓋とを有する紙箱であって、前記上蓋は、前記側壁板の上端より延びて、互いに重なり合って上端開口部を閉じる側壁側フラップと、該側壁側フラップと一体的である端壁側フラップとを有し、前記端壁側フラップは、前記端壁板に押圧された状態で位置するように下方に折り曲げることができる三角形の翼部をなし、前記端壁板には、前記端壁側フラップの上端から該端壁板の下方に延在する中央折罫が形成され、これにより、前記端壁板は、内側に屈曲して凹部をなすことができ、前記翼部が水平線を越えて端壁板方向下方に折り曲げられたとき、前記端壁板は内側に屈曲せしめられると共に、前記側壁板は互いに近接せしめられることができ、内側に屈曲した前記端壁板に対して下方向に押圧された翼部により、側壁側フラップは上端開口部を閉じかつ重なり合った状態に保持され、かつ、前記上蓋が切り取り可能になっているとともに、前記端壁板が、いずれか一方の側壁板に延設された内側端壁板と、他の側壁板に延設された外側端壁板の２重壁でなり、前記外側端壁板と前記底面板に２辺が接続した略三角形の底面側フラップを有し、該底面側フラップは２つ折りされて略三角形の底側翼部を形成し、下方に折り曲げられて前記底面板の外側に接し、前記内側端壁板には端壁側貼り合せ片と底面側貼り合せ片が連設され、前記端壁側貼り合せ片は折り返されて、前記外側端壁板との間に融着され、前記底面側貼り合せ片は、前記底面側フラップの２つ折りされた間に融着されていることを特徴とする紙箱である。
【００１１】
本発明の紙箱は、以上のような構成であって、側壁側フラップを、互いに重なり合う様に倒して、端壁側フラップの三角形の翼部を下方に折り曲げて、簡単に蓋を閉じた状態にすることができ、ある程度の力を加えないと開封されず、電子レンジ加熱で蒸らし効果があり、紙層と表裏の表面に熱可塑性樹脂層を設けた積層シートからなっているので、耐水性が有り、底部の構造から水や液体を入れても漏れ出すことがない。また、上蓋が切り取り可能になっているので、電子レンジで加熱調理後、移し変えることなく、食器として用いることができる。
【００１３】
また、以上のような構成であって、前記端壁板が、内側端壁板と外側端壁板の２重壁でなり、内側端壁板に設けられた端壁側貼り合せ片が折り返されて、内側端壁板と外側端壁板との間に融着され、底面側貼り合せ片が底面側フラップの２つ折りされた間に融着されているので、水や液体を入れても底部や胴部から漏れ出すことがない。
【００１４】
本発明の請求項２の発明は、前記上蓋の切り取りのために、易切断線が設けられていることを特徴とする請求項１に記載の紙箱である。
【００１５】
本発明はまた、上蓋の切り取りのために、易切断線が設けられているので、上蓋の切り取りが容易にできる。
【００１６】
本発明の請求項３の発明は、前記易切断線が線状に並んだ複数の切れ目と切れ目間の継ぎ目からなることを特徴とする請求項２に記載の紙箱である。
【００１７】
本発明は切断線が線状に並んだ複数の切れ目と切れ目間の継ぎ目からなっているので、容易に切り取ることができる。
【００１８】
本発明の請求項４の発明は、前記易切断線が２本並列に設けられた易切断帯が設けられていることを特徴とする請求項２または３に記載の紙箱である。
【００１９】
本発明は易切断線が２本並列に設けられた易切断帯が設けられているので、易切断帯を切り取ることによって、上蓋を切り取ることができる。
【００２０】
本発明の請求項５の発明は、前記端壁側フラップに三角形の折罫が予め付けられており、前記側壁側フラップを共に折り曲げたときに三角形の前記翼部が形成されやすくなっていることを特徴とする請求項１から４のいずれか１項に記載の紙箱である。
【００２１】
本発明はさらに、端壁側フラップに三角形の折罫が予め付けられているので、側壁側フラップを共に折り曲げたときに、端壁側フラップが三角形の翼部を形成しやすい。
【００２２】
本発明の請求項６の発明は、前記端壁板の下端部には、下端の両隅からそれぞれ上方内側に延びて、前記中央折罫上のある一点で交差する２本の折罫が設けられていることを特徴とする請求項１から５のいずれか１項に記載の紙箱である。
【００２３】
本発明はまた、端壁板の下端部に、下端の両隅からそれぞれ上方内側に延びて、中央折罫上のある一点で交差する２本の罫線が設けられているので、翼部が水平線を越えて端壁板方向下方に折り曲げられたとき、端壁板が内側に屈曲しやすい。
【発明の効果】
【００２４】
本発明の紙箱は、簡単に蓋を閉じた状態することができ、ある程度の力を加えないと開くことがなく、電子レンジ加熱で蒸らし効果があり、電子レンジで加熱調理後、移し変えることなく、食器として用いることがでる。
【図面の簡単な説明】
【００２５】
【図１】本発明の紙箱の第１の実施形態に用いる積層シートを模式的に断面で示した説明図である。
【図２】本発明の紙箱の第１の実施形態を模式的に示した説明図である。（Ａ）平面図である。（Ｂ）正面図である。（Ｃ）底面図である。（Ｄ）右側面図である。
【図３】本発明の紙箱の第１の実施形態に用いるブランクを模式的に示した説明図である。
【図４】本発明の紙箱の第１の実施形態の製造過程の状態を模式的に示す説明図である。（Ａ）平面図である。（Ｂ）正面図である。
【図５】本発明の紙箱の第１の実施形態の製造過程の次の状態を模式的に平面で示す説明図である。
【図６】本発明の紙箱の第１の実施形態の製造過程のまた次の状態を模式的に示す説明図である。（Ａ）平面図である。（Ｂ）正面図である。
【図７】本発明の紙箱の第１の実施形態の貼り合せ片の状態を示す説明図である。
【図８】本発明の紙箱の第１の実施形態の製造過程の更に次の状態を正面で模式的に示す説明図である。
【図９】本発明の紙箱の第１の実施形態の製造過程のまた更に次の状態を平面で模式的に示す説明図である。
【図１０】本発明の紙箱の第２の実施形態を模式的に示した説明図である。（Ａ）平面図である。（Ｂ）正面図である。（Ｃ）底面図である。（Ｄ）右側面図である。
【図１１】本発明の紙箱の第２の実施形態に用いるブランクを模式的に示した説明図である。
【図１２】本発明の紙箱の第２の実施形態の製造過程の状態を模式的に示す説明図である。（Ａ）平面図である。（Ｂ）正面図である。
【図１３】本発明の紙箱の第２の実施形態の製造過程の次の状態を模式的に平面で示す説明図である。（Ａ）平面図である。（Ｂ）正面図である。
【図１４】本発明の紙箱の第２の実施形態の製造過程のまた次の状態を模式的に示す説明図である。（Ａ）平面図である。（Ｂ）正面図である。
【図１５】本発明の紙箱の第２の実施形態の貼り合せ片の状態を示す説明図である。
【図１６】本発明の紙箱の第２の実施形態の製造過程の更に次の状態を正面で模式的に示す説明図である。
【図１７】本発明の紙箱の第２の実施形態の製造過程のまた更に次の状態を平面で模式的に示す説明図である。
【図１８】本発明の紙箱の第３の実施形態を模式的に示した説明図である。（Ａ）平面図である。（Ｂ）正面図である。（Ｃ）底面図である。（Ｄ）右側面図である。
【図１９】本発明の紙箱の第３の実施形態に用いるブランクを模式的に示した説明図である。
【図２０】本発明の紙箱の第３の実施形態の製造過程の状態を模式的に示す説明図である。（Ａ）平面図である。（Ｂ）正面図である。
【図２１】本発明の紙箱の第３の実施形態の製造過程の次の状態を模式的に平面で示す説明図である。（Ａ）平面図である。（Ｂ）正面図である。
【図２２】本発明の紙箱の第３の実施形態の製造過程のまた次の状態を模式的に示す説明図である。（Ａ）平面図である。（Ｂ）正面図である。
【図２３】本発明の紙箱の第３の実施形態の貼り合せ片の状態を示す説明図である。
【図２４】本発明の紙箱の第３の実施形態の製造過程の更に次の状態を正面で模式的に示す説明図である。
【図２５】本発明の紙箱の第３の実施形態の製造過程のまた更に次の状態を平面で模式的に示す説明図である。
【発明を実施するための形態】
【００２６】
＜第１の実施形態＞
以下、本発明を実施するための第１の実施形態について説明する。
図１は、本発明の紙箱の第１の実施形態に用いる積層シートを模式的に断面で示した説明図である。
図２は、本発明の紙箱の第１の実施形態を模式的に示した説明図で、（Ａ）平面図、（Ｂ）正面図、（Ｃ）底面図、（Ｄ）右側面図である。
【００２７】
第１の実施形態の紙箱１００は、紙層１と、少なくとも表裏の表面に熱可塑性樹脂層２、３を設けた図１のような積層シート４から形成されている。紙層１と熱可塑性樹脂層２、３の間に他の層を設けてもよい。例えば、ポリエチレンテレフタレート、エチレン酢酸ビニル共重合体のフィルムや、無機酸化物蒸着フィルムなど、バリア性のあるフィルムを、紙層１と熱可塑性樹脂層２、あるいは、熱可塑性樹脂層３の間に設けてもよい。
【００２８】
紙層１としては、坪量１５０〜２５０ｇ／ｍ２の板紙などが好ましく用いられる。また、熱可塑性樹脂層２、３に用いる樹脂は、ポリエチレン系やポリプロピレン系の樹脂が、熱融着性が良好で、押し出しラミネート加工ができるので好ましいが、これに限るものではない。
【００２９】
そして、図２の（Ａ）平面図、（Ｂ）正面図、（Ｃ）底面図、（Ｄ）右側面図のように、底面板１０５と、底面板１０５に連設された側壁板１０６、１０７と、側壁板１０６、１０７に連設された端壁板１０８、１０９と、上蓋とを有している。上蓋は、側壁板１０６、１０７の上端より延びた側壁側フラップ１１０、１１１からなり、互いに重なり合って上端開口部を閉じるようになっている。
【００３０】
側壁側フラップ１１１は、左右に一体的に延設された端壁側フラップ（１１２、１１３）を有し、端壁側フラップは、三角形に折られて翼部１１４、１１４を形成して、端壁板１０８、１０９に接するように倒されている。
【００３１】
図では見えないが、端壁板１０８、１０９には、端壁側フラップの上端から端壁板の下
方に延在する中央折罫ａが形成され、さらに、端壁板１０８、１０９の下端部には、下端の両隅からそれぞれ上方内側に延びて、中央折罫ａ上のある一点で交差する２本の折罫ｂ、ｃが設けられている。
【００３２】
端壁板１０８、１０９の下方には底面側フラップ（１１５、１１６）が設けられ、２つ折りされて略三角形の底側翼部１１７、１１７を形成し、折り曲げられて底面板１０５の外側に接している。
【００３３】
そして、側壁側フラップ１１０には、易切断線が２本並列に設けられた易切断帯１２４が設けられていて、易切断線の一方は側壁側フラップ１１０と側壁板１０６の間の折罫を兼ねていて、他方は側壁側フラップ１１０の内側に位置している。同様に側壁側フラップ１１１にも、易切断線が２本並列に設けられた易切断帯１２５が設けられていて、易切断線の一方は側壁側フラップ１１１と側壁板１０７の間の折罫を兼ねていて、他方は側壁側フラップ１１１の内側に位置している。
【００３４】
以下、本実施形態の紙箱の構造の詳細を説明するために、製造方法について説明する。図３は、本発明の紙箱の第１の実施形態に用いるブランクを模式的に示した説明図である。
図４は、本発明の紙箱の第１の実施形態の製造過程の状態を模式的に示す説明図で、（Ａ）平面図、（Ｂ）正面図である。
図５は、本発明の紙箱の第１の実施形態の製造過程の次の状態を模式的に平面で示す説明図である。
図６は、本発明の紙箱の第１の実施形態の製造過程のまた次の状態を模式的に示す説明図で、（Ａ）平面図、（Ｂ）正面図である。
図７は、本発明の紙箱の第１の実施形態の貼り合せ片の状態を示す説明図である。
図８は、本発明の紙箱の第１の実施形態の製造過程の更に次の状態を正面で模式的に示す説明図である。
図９は、本発明の紙箱の第１の実施形態の製造過程のまた更に次の状態を平面で模式的に示す説明図である。
【００３５】
本実施形態の紙箱１００は、図３のようなブランク１０１（説明の都合上、ブランクを裏面側から見た図である）を組み立てて製造される。ブランク１０１は、中央に底面板１０５が設けられ、底面板１０５の上下に側壁板１０６、１０７が設けられている。
【００３６】
側壁板１０６、１０７の底面板１０５との反対側には、側壁側フラップ１１０、１１１が設けられている。側壁側フラップ１１０の左側には端壁側フラップ１１２が設けられ、右側には端壁側フラップ１１３が設けられている。
【００３７】
側壁板１０６、１０７の左側には、外側端壁板１０８ａと内側端壁板１０８ｂが設けられている。端壁板１０８は、外側端壁板１０８ａと内側端壁板１０８ｂが重なった２重壁で形成されている。また、外側端壁板１０８ａは、側壁側フラップ１１０に連設されている端壁側フラップ１１２とも接続している。
【００３８】
そして、紙箱の上端となる端壁側フラップ１１２の端部から外側端壁板１０８ａにかけて、内側端壁板１０８ｂには紙箱の上端となる端部から下方に向かって、その左右中央に中央折罫ａが設けられ、外側端壁板１０８ａ、内側端壁板８ｂの紙箱としての下端部には、下端の両隅からそれぞれ上方内側に延びて、中央折罫ａ上のある一点で交差する２本の折罫ｂ、ｃが設けられている。
【００３９】
また、端壁側フラップ１１２には、折り曲げて三角形の翼部１１４を形成しやすくする
ための三角形の折罫ｄ、ｅが設けられている。
【００４０】
側壁板１０６、１０７の右側も同様に、外側端壁板１０９ａと内側端壁板１０９ｂが設けられている。端壁板１０９は、外側端壁板１０９ａと内側端壁板１０９ｂが重なった２重壁で形成されている。また、外側端壁板１０９ａは、側壁側フラップ１１０に連設されている端壁側フラップ１１３とも接続している。
【００４１】
そして、紙箱の上端となる端壁側フラップ１１３の端部から外側端壁板１０９ａにかけて、内側端壁板１０９ｂには紙箱の上端となる端部から下方に向かって、その左右中央に中央折罫ａが設けられ、外側端壁板１０９ａ、内側端壁板１０９ｂの紙箱としての下端部には、下端の両隅からそれぞれ上方内側に延びて、中央折罫ａ上のある一点で交差する２本の折罫ｂ、ｃが設けられている。
【００４２】
また、端壁側フラップ１１３には、折り曲げて三角形の翼部１１４を形成しやすくするための三角形の折罫ｄ、ｅが設けられている。
【００４３】
底面板１０５の左右には、底面側フラップ１１５、１１６が、外側端壁板１０８ａあるいは外側端壁板１０９ａと接続した三角形で形成されている。底面側フラップ１１５、１１６にも三角形を２分する折罫ｆが設けられていて、２つ折りされて略三角形の底側翼部１１７を形成するようになっている。
【００４４】
そして、内側端壁板１０８ｂ、１０９ｂの横方向の端部には、端壁側貼り合せ片１１８、１１９が連設されている。また、上側には底面側貼り合せ片１２０、１２１が連設されている。底面側貼り合せ片１２０、１２１は、底面側フラップ１１５、１１６とも接続している。
【００４５】
また、側壁側フラップ１１１の左右には、端壁側フラップ貼着片１２２、１２３が設けられ、内側端壁板１０８ｂ、１０９ｂにも接続している。
【００４６】
そして、側壁側フラップ１１０には、易切断線が２本並列に設けられた易切断帯１２４が設けられていて、易切断線の一方は側壁側フラップ１１０と側壁板１０６の間の折罫を兼ねていて、他方は側壁側フラップ１１０の内側に位置している。また、易切断帯１２４は端壁側フラップ１１２や端壁側フラップ１１３にも延設されている。
【００４７】
側壁側フラップ１１１にも、易切断線が２本並列に設けられた易切断帯１２５が設けられていて、易切断線の一方は側壁側フラップ１１１と側壁板１０７の間の折罫を兼ねていて、他方は側壁側フラップ１１１の内側に位置している。また、易切断帯１２５は端壁側フラップ貼着片１２２、１２３にも延設されている。
【００４８】
尚、折罫は、押罫により設けることが、水や液体食品を入れても折罫から漏れることがないので好ましい。但し、外側端壁板１０８ａ、１０９ａに設けた中央折罫ａや折罫ｂ、ｃについては、内側に内側端壁板１０８ｂ、１０９ｂが設けられ漏れる恐れがなく、２重壁の端壁板１０８、１０９を折ることから、容易に折れやすい、ミシン目や、断続した切れ目で貫通して設けてもよい。また更に、これと押罫を組み合わせた折罫にしてもよい。
【００４９】
このブランク１０１から紙箱１００を組み立てるには、まず、側壁板１０７と底面板１０５の間の折罫を折って、底面板１０５から側壁板１０７を垂直に立ち上げ、内側端壁板１０８ｂ、１０９ｂも内方に折って、側壁板１０７に対して直角になるようにする。
【００５０】
そして、底面側貼り合せ片１２０、１２１の内面を底面側フラップ１１５、１１６の内
面に重ねる。このとき熱をかけて融着させてもよい。また、端壁側貼り合せ片１１８、１１９は外側に折り返しておく。これによって、図４の（Ａ）平面図、（Ｂ）正面図のようになる。
【００５１】
次に、側壁板１０６と底面板１０５の間の折罫を折って、底面板１０５から側壁板１０６を垂直に立ち上げ、図５の平面図のように、端壁側貼り合せ片１１８、１１９の内面を外側端壁板１０８ｂ、１０９ｂの内面に重ねる。このとき熱をかけて融着させてもよい。
【００５２】
さらに、端壁側フラップ１１２と外側端壁板１０８ａを内側に倒し、外側端壁板１０８ａを内側端壁板１０８ｂの外側に重ねる。また、端壁側フラップ１１２を端壁側フラップ貼着片１２２の外側に重ねる。このとき、底面側フラップ１１５は折罫ｆで２つに折られ、下に突き出して底側翼部１１７を形成する。
【００５３】
同様に、端壁側フラップ１１３と外側端壁板１０９ａを内側に倒し、外側端壁板１０９ａを内側端壁板１０９ｂの外側に重ねる。また、端壁側フラップ１１３を端壁側フラップ貼着片１２３の外側に重ねる。このとき、底面側フラップ１１６は折罫ｆで２つに折られ、下に突き出して底側翼部１１７を形成する。これにより、紙箱１００は、図６（Ａ）平面図、（Ｂ）正面図のようになる。
【００５４】
図７の斜視図は、紙箱１００における底面側貼り合せ片１２０、１２１や端壁側貼り合せ片１１８、１１９の状態を説明するための図である。このように、底面側貼り合せ片１２０、１２１の内面を底面側フラップ１１５、１１６の内面に重ね、端壁側貼り合せ片１２０、１２１の内面を外側端壁板１０８ａあるいは外側端壁板１０９ａの内面に重ねる。
【００５５】
この状態で、外側端壁板１０８ａ、１０９ａと内側端壁板１０８ｂ、１０９ｂを、端壁側フラップ１１２、１１３と端壁側フラップ貼着片１２２、１２３を、また、２つに折られた底面側フラップ１７を加熱融着させる。紙箱１００には、紙層１を中間に設け、表裏の表面に熱可塑性樹脂層２、３を設けた積層シート４を用いているので、このように加熱融着させることができる。
【００５６】
そして、端壁側貼り合せ片１１８、１１９と底面側貼り合せ片１２０、１２１を設けた構造として、端壁側貼り合せ片１１８、１１９が、それぞれ外側端壁板１０８ａと内側端壁板１０８ｂの間、外側端壁板１０９ａと内側端壁板１０９ｂの間に挟まれて加熱融着され、底面側貼り合せ片１２０、１２１が、それぞれ底面側フラップ１１５、１１６の２つ折りされた間に挟まれて加熱融着されているので、積層シート４の端面に露出したか紙層１が、内容物収納部側に露出することなく、また、胴部や底部が水密になっているので水や液体を入れても漏れ出すことがない。
【００５７】
そして、図８の正面図のように、２つに折られた底面側フラップ１１５、１１６で形成された底側翼部１１７、１１７を倒して、底面板１０５の外側に沿うように倒し、加熱融着、または、ホットメルトなどの接着剤で接着させる。
【００５８】
側壁側フラップ１１０、１１１を互いに重なり合うように倒して、上端開口部を閉じると共に、端壁側フラップ１１２、１１３を、それぞれの折罫ｄ、ｅで折って翼部１１４、１１４を形成させる。
【００５９】
そして、この水平になっている翼部１１４、１１４を下方に折って、端壁板１０８、１０９に押圧された状態で位置するようにすると、端壁側フラップ１１２、１１３の上端から外側端壁板１０８ａ、内側端壁板１０８ｂ、および、外側端壁板１０９ａ、内側端壁板１０９ｂの下方に延在している中央折罫ａによって、端壁板１０８、１０９は内側に屈曲すると共に、端壁板１０８、１０９は互いに近接させることができ、内側に屈曲した端壁板１０８、１０９に対して下方向に押圧された翼部１１４、１１４により、側壁側フラップ１１０、１１１は上端開口部を閉じかつ重なり合った状態に保持される。
【００６０】
このようになっているので、加熱調理する食品などを収納して、電子レンジで加熱すると、上端開口部が閉じた状態が維持され、蒸らし効果が得られる。また、極端に蒸気の発生が多くなり、内圧が高まると、側壁側フラップ間の隙間が開き減圧され、破裂することはない。
【００６１】
そして、電子レンジで加熱調理後、側壁側フラップ１１０、１１１を上に持ち上げて、上端開口部を開き、易切断帯１２２、１２３を切断して、上蓋の側壁側フラップ１１０、１１１と、これと一体的になっている端壁側フラップ１１２、１１３とを切り取る。これにより、食べるのに邪魔になる上方に突き出た部分がなくなり、移し変えることなく、このまま紙箱を食器として用いることができる。
【００６２】
本実施形態の紙箱１００を以下のように作成した。
積層シートには、外層側から、低密度ポリエチレン１８μｍ、板紙（坪量１９０ｇ／ｍ２）、、低密度ポリエチレン３０μｍポリエチレンエレフタレートフィルム１２μｍ、低密度ポリエチレン５５μｍの積層シートを用いた。
【００６３】
サイズは、幅１２２ｍｍ、奥行き９２ｍｍ、高さ６２ｍｍで、容量がおよそ６４０ｃｃの第１の実施形態の紙箱１００を作成した。
【００６４】
この、紙箱１００に野菜の肉巻き１４０ｇを入れ、５００Ｗの電子レンジで、２分３０秒加熱調理した。加熱調理後、上蓋を開け、易切断帯１２２、１２３を切断して取り去り。試食した。
【００６５】
本実施形態の紙箱１００では、食品の収納に特に問題はなく、加熱調理では、３０秒後に、一方の端壁側フラップが略水平に持ち上がり、隙間から上記が漏れた。調理後の食品は、特に問題なく調理され、蒸らし効果があるものと判断された。
【００６６】
易切断帯の切断において、途中で易切断帯自体が切れてしまうものもあったが、上蓋を取り去ることには問題はなかった。また、易切断帯の一方の易切断線を折罫と兼ねるようにしたので、上からの荷重が掛かった場合の強度に若干の不安があった。
【００６７】
＜第２の実施形態＞
以下本発明を実施するための第２の実施形態について説明する。
図１０は、本発明の紙箱の第２の実施形態を模式的に示した説明図で、（Ａ）平面図、（Ｂ）正面図、（Ｃ）底面図、（Ｄ）右側面図である。
【００６８】
第２の実施形態の紙箱２００は、第１の実施形態の紙箱１００と同様に、図１のような、紙層１と、少なくとも表裏の表面に熱可塑性樹脂層２、３を設けた積層シート４から形成されている。紙層１と熱可塑性樹脂層２、３の間に他の層を設けてもよい。例えば、ポリエチレンテレフタレート、エチレン酢酸ビニル共重合体のフィルムや、無機酸化物蒸着フィルムなど、バリア性のあるフィルムを、紙層１と熱可塑性樹脂層２、あるいは、熱可塑性樹脂層３の間に設けてもよいことなど、第１の実施形態の紙箱１００と同様である。
【００６９】
そして、図１０のように、底面板２０５と、底面板２０５に連設された側壁板２０６、２０７と、側壁板２０６、２０７に連設された端壁板２０８、２０９と、上蓋とを有している。上蓋は、側壁板２０６、２０７の上端より延びた側壁側フラップ２１０、２１１が
互いに重なり合って上端開口部を閉じるようになっている。
【００７０】
側壁側フラップ２１０は、左右に一体的に延設された端壁側フラップ（２１２、２１３）を有し、端壁側フラップは、三角形に折られて翼部２１４、２１４を形成して、端壁板２０８、２０９に接するように倒されている。
【００７１】
図では見えないが、端壁板２０８、２０９には、端壁側フラップの上端から端壁板の下方に延在する中央折罫ｇが形成され、さらに、端壁板２０８、２０９の下端部には、下端の両隅からそれぞれ上方内側に延びて、中央折罫ｇ上のある一点で交差する２本の折罫ｈ、ｉが設けられている。
【００７２】
端壁板２０８、２０９の下方には底面側フラップが設けられ、２つ折りされて略三角形の底側翼部２１７、２１７を形成し、折り曲げられて底面板２０５の外側に接している。
【００７３】
以下、本実施形態の紙箱の構造の詳細を説明するために、製造方法について説明する。図１１は、本発明の紙箱の第２の実施形態に用いるブランクを模式的に示した説明図である。
図１２は、本発明の紙箱の第２の実施形態の製造過程の状態を模式的に示す説明図で、（Ａ）平面図、（Ｂ）正面図である。
図１３は、本発明の紙箱の第２の実施形態の製造過程の次の状態を模式的に平面で示す説明図で、（Ａ）平面図、（Ｂ）正面図である。
図１４は、本発明の紙箱の第２の実施形態の製造過程のまた次の状態を模式的に示す説明図で、（Ａ）平面図、（Ｂ）正面図である。
図１５は、本発明の紙箱の第２の実施形態の貼り合せ片の状態を示す説明図である。
図１６は、本発明の紙箱の第２の実施形態の製造過程の更に次の状態を正面で模式的に示す説明図である。
図１７は、本発明の紙箱の第２の実施形態の製造過程のまた更に次の状態を平面で模式的に示す説明図である。
【００７４】
本実施形態の紙箱２００は、図１１のようなブランク２０１（説明の都合上、ブランクを裏面側から見た図である）を組み立てて製造される。ブランク２０１は、中央に底面板２０５が設けられ、底面板２０５の上下に側壁板２０６、２０７が設けられている。
【００７５】
側壁板２０６、２０７の底面板２０５との反対側には、側壁側フラップ２１０、２１１が設けられている。側壁側フラップ２１０の左側には端壁側フラップ２１２が設けられ、右側には端壁側フラップ２１３が設けられている。
【００７６】
側壁板２０６、２０７の左側には、外側端壁板２０８ａと内側端壁板２０８ｂが設けられている。端壁板２０８は、外側端壁板２０８ａと内側端壁板２０８ｂが重なった２重壁で形成されている。また、外側端壁板２０８ａは、側壁側フラップ２１０に連設されている端壁側フラップ２１２とも接続している。内側端壁板２０８ｂは、側壁側フラップ２１１に連設されている端壁側フラップ貼着片２２２とも接続している。
【００７７】
そして、紙箱の上端となる端壁側フラップ２１２の端部から外側端壁板２０８ａにかけて、その左右中央に中央折罫ｇが設けられ、内側端壁板２０８ｂにも中央折罫ｇが設けられている。外側端壁板２０８ａ、内側端壁板２０８ｂの紙箱としての下端部には、下端の両隅からそれぞれ上方内側に延びて、中央折罫ｇ上のある一点で交差する２本の折罫ｈ、ｉが設けられている。
【００７８】
また、端壁側フラップ２１２には、折り曲げて三角形の翼部２１４を形成しやすくする
ための三角形の折罫ｊ、ｋが設けられている。
【００７９】
側壁板２０６、２０７の右側も同様に、外側端壁板２０９ａと内側端壁板２０９ｂが設けられている。端壁板２０９は、外側端壁板２０９ａと内側端壁板２０９ｂが重なった２重壁で形成されている。また、外側端壁板２０９ａには、側壁側フラップ２１０に連設されている端壁側フラップ２１３とも接続している。内側端壁板２０９ｂは、側壁側フラップ２１１に連設されている端壁側フラップ貼着片２２３とも接続している。
【００８０】
そして、紙箱の上端となる端壁側フラップ２１３の端部から外側端壁板２０９ａにかけて、その左右中央に中央折罫ｇが設けられ、内側端壁板２０９ｂにも中央折罫ｇが設けられている。外側端壁板２０９ａ、内側端壁板２０９ｂの紙箱としての下端部には、下端の両隅からそれぞれ上方内側に延びて、中央折罫ｇ上のある一点で交差する２本の折罫ｈ、ｉが設けられている。
【００８１】
また、端壁側フラップ２１３には、折り曲げて三角形の翼部２１４を形成しやすくするための三角形の折罫ｊ、ｋが設けられている。
【００８２】
底面板２０５の左右には、底面側フラップ２１５、２１６が、外側端壁板２０８ａあるいは外側端壁板２０９ａと接続した三角形で形成されている。底面側フラップ２１５、２１６にも三角形を２分する折罫ｌが設けられていて、２つ折りされて略三角形の底側翼部２１７を形成するようになっている。
【００８３】
そして、内側端壁板２０８ｂ、２０９ｂの横方向の端部には、端壁側貼り合せ片２１８、２１９が連設されている。また、上側には底面側貼り合せ片２２０、２２１が連設されている。底面側貼り合せ片２２０、２２１は、底面側フラップ２１５、２１６とも接続している。
【００８４】
そして、端壁側フラップ２１２と外側端壁板２０８ａの間、側壁側フラップ２１０と側壁板２０６の間、端壁側フラップ２１３外側端壁板２０９ａの間に折罫を兼ねた、切れ目を、繋ぎ部を介して断続して直線状並べて形成した易切断線２２４が設けられている。
【００８５】
また、端壁側フラップ貼着片２２２と内側端壁板２０８ｂの間、側壁側フラップ２１１と側壁板２０７の間、端壁側フラップ貼着片２２３と内側端壁板２０９ｂの間に折罫を兼ねた、切れ目を、繋ぎ部を介して断続して直線状並べて形成した易切断線２２５が設けられている。
【００８６】
尚、他の折罫は、押罫により設けることが、水や液体食品を入れても折罫から漏れることがないので好ましい。但し、外側端壁板２０８ａ、２０９ａに設けた中央折罫ｇや折罫ｈ、ｉについては、内側に内側端壁板２０８ｂ、２０９ｂが設けられ漏れる恐れがなく、２重壁の端壁板を折ることから、容易に折れやすい、ミシン目や、断続した切れ目で設けたり、更にこれらと押罫を組み合わせた折罫にしたりしてもよい。
【００８７】
このブランク２０１から紙箱２００を組み立てるには、まず、側壁板２０７と底面板２０５の間の折罫を折って、底面板２０５から側壁板２０７を垂直に立ち上げ、内側端壁板２０８ｂ、２０９ｂも内方に折って、側壁板２０７に対して直角になるようにする。
【００８８】
そして、底面側貼り合せ片２２０、２２１の内面を底面側フラップ２１５、２１６の内面に重ねる。このとき熱をかけて融着させてもよい。また、端壁側貼り合せ片２１８、２１９は外側に折り返しておく。これによって、図１２の（Ａ）平面図、（Ｂ）正面図のようになる。
【００８９】
次に、側壁板２０６と底面板２０５の間の折罫を折って、底面板２０５から側壁板２０６を垂直に立ち上げ、図１３の（Ａ）平面図、（Ｂ）正面図のように、端壁側貼り合せ片２１８、２１９の内面を外側端壁板２０８ａ、外側端壁板２０９ａの内面に重ねる。このとき熱をかけて融着させてもよい。
【００９０】
さらに、端壁側フラップ２１２と外側端壁板２０８ａを内側に倒し、外側端壁板２０８ａを内側端壁板２０８ｂの外側に重ねる。また、端壁側フラップ２１２の裏面に端壁側フラップ貼着片２２２の表面が重なる。このとき、底面側フラップ２１５は折罫ｌで２つに折られ、下に突き出して底側翼部２１７を形成する。
【００９１】
同様に、端壁側フラップ２１３と外側端壁板２０９ａを内側に倒し、外側端壁板２０９ａを内側端壁板２０９ｂの外側に重ねる。また、端壁側フラップ２１３の裏面に端壁側フラップ貼着片２２３の表面が重なる。このとき、底面側フラップ２１６は折罫ｌで２つに折られ、下に突き出して底側翼部２１７を形成する。これにより、紙箱２００は、図１４（Ａ）平面図、（Ｂ）正面図のようになる。
【００９２】
図１５の斜視図は、端壁側フラップ２１３と外側端壁板２０９ａを内側に倒す途中の状態を示している。このように、底面側貼り合せ片２２０、２２１の内面を底面側フラップ２１５、２１６の内面に重ね、端壁側貼り合せ片２１８、２１９の内面を外側端壁板２０８ａあるいは外側端壁板２０９ａの内面に重ねる。また、端壁側フラップ貼着片２２２、２２３の表面に端壁側フラップ２１２、２１３の裏面を重ねる。
【００９３】
この状態で、外側端壁板２０８ａと内側端壁板２０８ｂを、端壁側フラップ２１２と端壁側フラップ貼着片２２２を、また、２つに折られた底面側フラップ２１５を加熱融着させ、また、外側端壁板２０９ａと内側端壁板２０９ｂを、端壁側フラップ２１３と端壁側フラップ貼着片２２３を、また、２つに折られた底面側フラップ２１６を加熱融着させる。紙箱２００には、紙層１を中間に設け、表裏の表面に熱可塑性樹脂層２、３を設けた積層シート４を用いているので、加熱融着させることができる。
【００９４】
そして、端壁側貼り合せ片２１８、２１９と底面側貼り合せ片２２０、２２１を設けた構造として、端壁側貼り合せ片２１８、２１９が、それぞれ外側端壁板２０８ａと内側端壁板２０８ｂの間、外側端壁板２０９ａと内側端壁板２０９ｂの間に挟まれて加熱融着され、底面側貼り合せ片２２０、２２１が、それぞれ底面側フラップ２１５、２１６の２つ折りされた間に挟まれて加熱融着されているので、水や液体を入れても漏れ出すことがない。
【００９５】
次に、図１６の正面図のように、２つに折られた底面側フラップ２１５、２つに折られた底面側フラップ２１６で形成された底側翼部２１７、２１７を、底面板２０５の外側に沿うように倒し、加熱融着、または、ホットメルトなどの接着剤で接着させる。
【００９６】
側壁側フラップ２１０、２１１を互いに重なり合うように倒して、上端開口部を閉じると共に、端壁側フラップ２１２と端壁側フラップ２１３を、折罫ｊ、ｋで折って翼部２１４、２１４を、図１７の平面図のように形成させる。
【００９７】
そして、この水平になっている翼部２１４、２１４を下方に折って、端壁板２０８、２０９に押圧された状態で位置するようにすると、端壁側フラップ２１２、２１３や、外側端壁板２０８ａ、２０９ａと内側端壁板２０８ｂ、２０９ｂに設けられた中央折罫ｇによって、端壁板２０８、２０９は内側に屈曲すると共に、側壁板２０６、２０７は互いに近接させることができ、内側に屈曲した端壁板２０８、２０９に対して下方向に押圧された翼部２１４により、側壁側フラップ２１０、２１１は上端開口部を閉じかつ重なり合った状態に保持される。
【００９８】
このようになっているので、加熱調理する食品などを収納して、電子レンジで可熱すると、上端開口部が閉じた状態が維持され、蒸らし効果が得られる。また、極端に蒸気の発生が多くなり、内圧が高まると、側壁側フラップ間の隙間が開き減圧され、破裂することはない。
【００９９】
また、易切断線２２４、２２５を設けてあるので、電子レンジで加熱調理後、易切断線２２４、２２５を切断して、これより上の側壁側フラップ２１０、２１１や端壁側フラップ２１２、２１３などを取り除けば、調理に用いた紙箱２００を食器として用いてそのまま食することができる。
【０１００】
本実施形態の紙箱２００を以下のように作成した。
積層シートには、外層側から、低密度ポリエチレン１８μｍ、板紙（坪量１９０ｇ／ｍ２）、低密度ポリエチレン３０μｍポリエチレンエレフタレートフィルム１２μｍ、低密度ポリエチレン５５μｍの積層シートを用いた。
【０１０１】
サイズは、幅１２２ｍｍ、奥行き９２ｍｍ、高さ６２ｍｍで、容量がおよそ６４０ｃｃの第２の実施形態の紙箱２００を作成した。
【０１０２】
この、紙箱２００に野菜とあさり合わせて２３０ｇを入れ、５００Ｗの電子レンジで、４分加熱調理した。加熱調理後、上蓋を開け、易切断線２２４、２２５を切断して上蓋を取り去り試食した。
【０１０３】
本実施形態の紙箱２００では、食品の収納に特に問題はなく、加熱調理では、３０秒後に、一方の端壁側フラップが略水平に持ち上がり、隙間から上記が漏れた。調理後の食品は、特に問題なく調理され、蒸らし効果があるものと判断された。
【０１０４】
電子レンジから取り出す際も、翼部２１４、２１４を持って、あまり熱さを感じずに取り出すことができた。また、易切断線の切断も可能あり、上蓋を取り去ることには問題はなかった。また、易切断線を折罫と兼ねるようにしたので、上からの荷重が掛かった場合の強度に若干の不安があった。
【０１０５】
＜第３の実施形態＞
以下本発明を実施するための第３の実施形態について説明する。
図１８は、本発明の紙箱の第３の実施形態を模式的に示した説明図で、（Ａ）平面図、（Ｂ）正面図、（Ｃ）底面図、（Ｄ）右側面図である。
【０１０６】
第３の実施形態の紙箱３００は、第１の実施形態の紙箱１００と同様に、図１のような、紙層１と、少なくとも表裏の表面に熱可塑性樹脂層２、３を設けた積層シート４から形成されている。紙層１と熱可塑性樹脂層２、３の間に他の層を設けてもよい。例えば、ポリエチレンテレフタレート、エチレン酢酸ビニル共重合体のフィルムや、無機酸化物蒸着フィルムなど、バリア性のあるフィルムなどを、紙層１と熱可塑性樹脂層２、あるいは、熱可塑性樹脂層３の間に設けてもよいことなど、第１の実施形態の紙箱１００と同様である。
【０１０７】
また、第２の実施形態の紙箱２００とは、略同一構造で、一方の側壁側フラップの先端につまみ部を設けて、上蓋を開けやすくした点と、易切断線を側壁側フラップと側壁板の間の折罫を兼ねるようにせず、折罫は押罫などで設け、易切断線を折罫から離して設けて
いる点が異なる。
【０１０８】
すなわち、図１８のように、底面板３０５と、底面板３０５に連設された側壁板３０６、３０７と、側壁板３０６、３０７に連設された端壁板３０８、３０９と、上蓋とを有している。上蓋は、側壁板３０６、３０７の上端より延びた側壁側フラップ３１０、３１１が互いに重なり合って上端開口部を閉じるようになっている。上に重なる方の側壁側フラップ３１１の先端部分には、周囲より突き出した摘み部３２６が設けられている。
【０１０９】
側壁側フラップ３１０は、左右に一体的に延設された端壁側フラップ（３１２、３１３）を有し、端壁側フラップは、三角形に折られて翼部３１４、３１４を形成して、端壁板３０８、３０９に接するように倒されている。
【０１１０】
図では見えないが、端壁板３０８、３０９には、端壁側フラップの上端から端壁板の下方に延在する中央折罫ｍが形成され、さらに、端壁板３０８、３０９の下端部には、下端の両隅からそれぞれ上方内側に延びて、中央折罫ｍ上のある一点で交差する２本の折罫ｎ、ｏが設けられている。
【０１１１】
端壁板３０８、３０９の下方には底面側フラップが設けられ、２つ折りされて略三角形の底側翼部３１７、３１７を形成し、折り曲げられて底面板３０５の外側に接している。
【０１１２】
以下、本実施形態の紙箱の構造の詳細を説明するために、製造方法について説明する。図１９は、本発明の紙箱の第３の実施形態に用いるブランクを模式的に示した説明図である。
図２０は、本発明の紙箱の第３の実施形態の製造過程の状態を模式的に示す説明図で、（Ａ）平面図、（Ｂ）正面図である。
図２１は、本発明の紙箱の第３の実施形態の製造過程の次の状態を模式的に平面で示す説明図で、（Ａ）平面図、（Ｂ）正面図である。
図２２は、本発明の紙箱の第３の実施形態の製造過程のまた次の状態を模式的に示す説明図で、（Ａ）平面図、（Ｂ）正面図である。
図２３は、本発明の紙箱の第３の実施形態の貼り合せ片の状態を示す説明図である。
図２４は、本発明の紙箱の第３の実施形態の製造過程の更に次の状態を正面で模式的に示す説明図である。
図２５は、本発明の紙箱の第３の実施形態の製造過程のまた更に次の状態を平面で模式的に示す説明図である。
【０１１３】
本実施形態の紙箱３００は、図１９のようなブランク３０１（ブランクを裏面側から見た図である）を組み立てて製造される。ブランク３０１は、中央に底面板３０５が設けられ、底面板３０５の上下に側壁板３０６、３０７が設けられている。
【０１１４】
側壁板３０６、３０７の底面板３０５との反対側には、側壁側フラップ３１０、３１１が設けられている。側壁側フラップ３１０の左側には端壁側フラップ３１２が設けられ、右側には端壁側フラップ３１３が設けられている。側壁側フラップ３１１の先端側には、周囲より突出した摘み部３２６が設けられている。
【０１１５】
側壁板３０６、３０７の左側には、外側端壁板３０８ａと内側端壁板３０８ｂが設けられている。端壁板３０８は、外側端壁板３０８ａと内側端壁板３０８ｂが重なった２重壁で形成されている。
【０１１６】
また、外側端壁板３０８ａは、側壁側フラップ３１０に連設されている端壁側フラップ３１２とも接続している。内側端壁板３０８ｂは、側壁側フラップ３１１に連設されてい
る端壁側フラップ貼着片３２２とも接続している。
【０１１７】
そして、紙箱の上端となる端壁側フラップ３１２の端部から外側端壁板３０８ａにかけて、その左右中央に中央折罫ｍが設けられ、内側端壁板３０８ｂにも中央折罫ｍが設けられている。外側端壁板３０８ａ、内側端壁板３０８ｂの紙箱としての下端部には、下端の両隅からそれぞれ上方内側に延びて、中央折罫ｍ上のある一点で交差する２本の折罫ｎ、ｏが設けられている。
【０１１８】
また、端壁側フラップ３１２には、折り曲げて三角形の翼部３１４を形成しやすくするための三角形の２辺となる折罫ｐ、ｑが設けられている。
【０１１９】
側壁板３０６、３０７の右側も同様に、外側端壁板３０９ａと内側端壁板３０９ｂが設けられている。端壁板３０９は、外側端壁板３０９ａと内側端壁板３０９ｂが重なった２重壁で形成されている。また、外側端壁板３０９ａには、側壁側フラップ３１０に連設されている端壁側フラップ３１３とも接続している。内側端壁板３０９ｂは、側壁側フラップ３１１に連設されている端壁側フラップ貼着片３２３とも接続している。
【０１２０】
そして、紙箱の上端となる端壁側フラップ３１３の端部から外側端壁板３０９ａにかけて、その左右中央に中央折罫ｍが設けられ、内側端壁板３０９ｂにも中央折罫ｍが設けられている。外側端壁板３０９ａ、内側端壁板３０９ｂの紙箱としての下端部には、下端の両隅からそれぞれ上方内側に延びて、中央折罫ｍ上のある一点で交差する２本の折罫ｎ、ｏが設けられている。
【０１２１】
また、端壁側フラップ３１３には、折り曲げて三角形の翼部３１４を形成しやすくするための三角形の折罫ｐ、ｑが設けられている。
【０１２２】
底面板３０５の左右には、底面側フラップ３１５、３１６が、外側端壁板３０８ａあるいは外側端壁板３０９ａと接続した三角形で形成されている。底面側フラップ３１５、３１６にも三角形を２分する折罫ｒが設けられていて、２つ折りされて略三角形の底側翼部３１７を形成するようになっている。
【０１２３】
そして、内側端壁板３０８ｂ、３０９ｂの横方向外側の端部には、端壁側貼り合せ片３１８、３１９が連設されている。また、上側には底面側貼り合せ片３２０、３２１が連設されている。底面側貼り合せ片３２０、３２１は、底面側フラップ３１５、３１６とも接続している。
【０１２４】
そして、端壁側フラップ３１２と外側端壁板３０８ａの間、側壁側フラップ３１０と側壁板３０６の間、端壁側フラップ３１３と外側端壁板３０９ａの間の折罫から平行に離れて、易切断線３２４が、端壁側フラップ３１２、側壁側フラップ３１０、端壁側フラップ３１３に設けられている。易切断線３２４は、複数の切れ目を繋ぎ部を介して直線状に並べて形成されている。
【０１２５】
また、端壁側フラップ貼着片３２２と内側端壁板３０８ｂの間、側壁側フラップ３１１と側壁板３０７の間、端壁側フラップ貼着片３２３と内側端壁板３０９ｂの間の折罫から平行に離れて、易切断線３２５が、端壁側フラップ貼着片３２２、側壁側フラップ３１１、端壁側フラップ貼着片３２３に設けられている。易切断線３２５も、複数の切れ目を繋ぎ部を介して直線状に並べて形成されている。
【０１２６】
尚、胴部や底部の折罫は、押罫により設けることが、水や液体食品を入れても折罫から漏れることがないので好ましい。但し、外側端壁板３０８ａ、３０９ａに設けた中央折罫
ｍや折罫ｎ、ｏについては、内側に内側端壁板３０８ｂ、３０９ｂが設けられ、漏れる恐れがなく、２重壁の端壁板を折ることから、容易に折れやすい、ミシン目や、断続した切れ目で設けたり、更にこれらと押罫を組み合わせた折罫にしたりしてもよい。
【０１２７】
このブランク３０１から紙箱３００を組み立てるには、ブランク２０１から紙箱２００を組み立てるのと同様にして、組み立てることができる。すなわち、側壁板３０７と底面板３０５の間の折罫を折って、底面板３０５から側壁板３０７を垂直に立ち上げ、内側端壁板３０８ｂ、３０９ｂも内方に折って、側壁板３０７に対して直角になるようにする。
【０１２８】
そして、底面側貼り合せ片３２０、３２１の内面を底面側フラップ３１５、３１６の内面に重ねる。このとき熱をかけて融着させてもよい。また、端壁側貼り合せ片３１８、３１９は外側に折り返しておく。これによって、図２０の（Ａ）平面図、（Ｂ）正面図のようになる。
【０１２９】
次に、側壁板３０６と底面板３０５の間の折罫を折って、底面板３０５から側壁板３０６を垂直に立ち上げ、図２１の（Ａ）平面図、（Ｂ）正面図のように、端壁側貼り合せ片３１８、３１９の内面を外側端壁板３０８ａ、外側端壁板３０９ａの内面に重ねる。このとき熱をかけて融着させてもよい。
【０１３０】
さらに、端壁側フラップ３１２と外側端壁板３０８ａを内側に倒し、外側端壁板３０８ａを内側端壁板３０８ｂの外側に重ねる。また、端壁側フラップ３１２の裏面に端壁側フラップ貼着片３２２の表面が重なる。このとき、底面側フラップ３１５は折罫ｒで２つに折られ、下に突き出して底側翼部３１７を形成する。
【０１３１】
同様に、端壁側フラップ３１３と外側端壁板３０９ａを内側に倒し、外側端壁板３０９ａを内側端壁板３０９ｂの外側に重ねる。また、端壁側フラップ３１３の裏面に端壁側フラップ貼着片３２３の表面が重なる。このとき、底面側フラップ３１６は折罫ｌで２つに折られ、下に突き出して底側翼部３１７を形成する。これにより、紙箱３００は、図２２の（Ａ）平面図、（Ｂ）正面図のようになる。
【０１３２】
図２３の斜視図は、端壁側フラップ３１３と外側端壁板３０９ａを内側に倒す途中の状態を示している。このように、底面側貼り合せ片３２０、３２１の内面を底面側フラップ３１５、３１６の内面に重ね、端壁側貼り合せ片３１８、３１９の内面を外側端壁板３０８ａあるいは外側端壁板３０９ａの内面に重ねる。また、端壁側フラップ貼着片３２２、３２３の表面に端壁側フラップ３１２、３１３の裏面を重ねる。
【０１３３】
この状態で、外側端壁板３０８ａと内側端壁板３０８ｂを、端壁側フラップ３１３と端壁側フラップ貼着片３２３を、また、２つに折られた底面側フラップ３１５を加熱融着させ、また、外側端壁板３０９ａと内側端壁板３０９ｂを、端壁側フラップ３１３と端壁側フラップ貼着片３２３を、また、２つに折られた底面側フラップ３１６を加熱融着させる。紙箱３００には、紙層１を中間に設け、表裏の表面に熱可塑性樹脂層２、３を設けた積層シート４を用いているので、加熱融着させることができる。
【０１３４】
そして、端壁側貼り合せ片３１８、３１９と底面側貼り合せ片３２０、３２１を設けた構造として、端壁側貼り合せ片３１８、３１９が、それぞれ外側端壁板３０８ａと内側端壁板３０８ｂの間、外側端壁板３０９ａと内側端壁板３０９ｂの間に挟まれて加熱融着され、底面側貼り合せ片３２０、３２１が、それぞれ底面側フラップ３１５、３１６の２つ折りされた間に挟まれて加熱融着されているので、水や液体を入れても漏れ出すことがない。
【０１３５】
次に、図２４の正面図のように、２つに折られた底面側フラップ３１５、２つに折られた底面側フラップ３１６で形成された底側翼部３１７、３１７を、底面板３０５の外側に沿うように倒し、加熱融着、または、ホットメルトなどの接着剤で接着させる。
【０１３６】
側壁側フラップ３１０、３１１を互いに重なり合うように倒して、上端開口部を閉じると共に、端壁側フラップ３１２と端壁側フラップ３１３を、折罫ｐ、ｑで折って翼部３１４、３１４を、図２５の平面図のように形成させる。
【０１３７】
そして、この水平になっている翼部３１４、３１４を下方に折って、端壁板３０８、３０９に押圧された状態で位置するようにすると、端壁側フラップ３１２、３１３や、外側端壁板３０８ａ、３０９ａと内側端壁板３０８ｂ、３０９ｂに設けられた中央折罫ｍによって、端壁板３０８、３０９は内側に屈曲すると共に、側壁板３０６、３０７は互いに近接させることができ、内側に屈曲した端壁板３０８、３０９に対して下方向に押圧された翼部３１４により、側壁側フラップ３１０、３１１は上端開口部を閉じかつ重なり合った状態に保持される。
【０１３８】
このようになっているので、加熱調理する食品などを収納して、電子レンジで可熱すると、上端開口部が閉じた状態が維持され、蒸らし効果が得られる。また、極端に蒸気の発生が多くなり、内圧が高まると、側壁側フラップ間の隙間が開き減圧され、破裂することはない。
【０１３９】
また、易切断線３２４、３２５を設けてあるので、電子レンジで加熱調理後、易切断線３２４、３２５を切断して、これより上の側壁側フラップ３１０、３１１や端壁側フラップ３１２、３１３などを取り除けば、調理に用いた紙箱３００を食器として用いてそのまま食することができる。
【０１４０】
本実施形態の紙箱３００を以下のように作成した。
積層シートには、外層側から、低密度ポリエチレン１８μｍ、板紙（坪量１９０ｇ／ｍ２）、低密度ポリエチレン３０μｍ、ポリエチレンエレフタレートフィルム１２μｍ、低密度ポリエチレン５５μｍの積層シートを用いた。
【０１４１】
サイズは、幅１２２ｍｍ、奥行き９２ｍｍ、高さ６２ｍｍで、容量がおよそ６４０ｃｃの第３の実施形態の紙箱３００を作成した。
【０１４２】
この、紙箱３００に麻婆豆腐の素と豆腐を合わせて２００ｇを入れ、６００Ｗの電子レンジで、２分３０秒加熱調理した。加熱調理後、上蓋を開け、易切断線３２４、３２５を切断して上蓋を取り去り試食した。
【０１４３】
本実施形態の紙箱３００では、食品の収納に特に問題はなく、加熱調理では、３０秒後に、一方の端壁側フラップが略水平に持ち上がり、隙間から蒸気が漏れた。調理後の食品は、特に問題なく調理され、蒸らし効果があるものと判断された。
【０１４４】
電子レンジから取り出す際も、翼部３１４、３１４を持って、あまり熱さを感じずに取り出すことができた。また、易切断線の切断も良好であり、上蓋を容易に取り去ることができた。また、折罫と易切断線を別にして設け、易切断線で折らないようにしたので、上からの荷重が掛かった場合でも強度に不安はなかった。
【０１４５】
以上のように、本発明の紙箱は、簡単に蓋を閉じた状態することができ、手では開けられるが、ある程度の力を加えないと開くことがなく、電子レンジ加熱で蒸らし効果があり、電子レンジで加熱調理後は、翼部を持って取り出すこともでき、発生した水蒸気が手にかかり熱い思いをすることもない。また、調理後は、易切断線で上蓋部分を切り取って、移し変えることなく、食器として用いることができる。
【０１４６】
使用している積層シートに耐水性があり、また、胴部や底部で紙層の端面が収納物に触れない構造になっているので、水や液体を入れ、また、加熱によりドリップの出る食品を入れても漏れ出すことがない。紙層１にオフセット印刷などによって、美粧印刷を施すことも可能で美粧性を高くすることもできる。
【０１４７】
このため、本発明の紙箱は、カレー、シチュー、米飯、混ぜご飯、炊飯、おでん、肉じゃが、鍋料理などの調理に適している。特に、家庭で肉や野菜などの調理素材を加えて電子レンジで調理する合わせ調味液の外装、兼、調理容器としても使用できる。また、使用後廃棄する際には、減容化が容易であり、更には、紙のリサイクルにも対応できる。
【符号の説明】
【０１４８】
１００、２００、３００・・・紙箱
１０１、２０１、３０１・・・ブランク
１・・・紙層
２、３・・・熱可塑性樹脂層
４・・・積層シート
１０５、２０５、３０５・・・底面板
１０６、１０７、２０６、２０７、３０６、３０７・・・側壁板
１０８、１０９、２０８、２０９、３０８、３０９・・・端壁板
１０８ａ、１０９ａ、２０８ａ、２０９ａ、３０８ａ、３０９ａ・・・外側端壁板
１０８ｂ、１０９ｂ、２０８ｂ、２０９ｂ、３０８ｂ、３０９ｂ・・・内側端壁板
１１０、１１１、２１０、２１１、３１０、３１１・・・側壁側フラップ
１１２、１１３、２１２、２１３、３１２、３１３・・・端壁側フラップ
１１４、１１４、２１４、２１４、３１４、３１４・・・翼部
１１５、１１６、２１５、２１６、３１５、３１６・・・底面側フラップ
１１７、１１７、２１７、２１７、３１７、３１７・・・底側翼部
１１８、１１９、２１８、２１９、３１８、３１９・・・端壁側貼り合せ片
１２０、１２１、２２０、２２１、３２０、３２１・・・底面側貼り合せ片
１２２、１２３、２２２、２２３、３２２、３２３・・・端壁側フラップ貼着片
１２４、１２５・・・易切断帯
２２４、２２５、３２４、３２５・・・易切断線
３２６・・・摘み部
ａ、ｇ、ｍ・・・中央折罫
ｂ、ｃ、ｄ、ｅ、ｆ、ｈ、ｉ、ｊ、ｋ、ｌ、ｎ、ｏ、ｐ、ｑ・・・折罫
【図１】
0006435792.tif 000002
【図２】
0006435792.tif 000003
【図３】
0006435792.tif 000004
【図４】
0006435792.tif 000005
【図５】
0006435792.tif 000006
【図６】
0006435792.tif 000007
【図７】
0006435792.tif 000008
【図８】
0006435792.tif 000009
【図９】
0006435792.tif 000010
【図１０】
0006435792.tif 000011
【図１１】
0006435792.tif 000012
【図１２】
0006435792.tif 000013
【図１３】
0006435792.tif 000014
【図１４】
0006435792.tif 000015
【図１５】
0006435792.tif 000016
【図１６】
0006435792.tif 000017
【図１７】
0006435792.tif 000018
【図１８】
0006435792.tif 000019
【図１９】
0006435792.tif 000020
【図２０】
0006435792.tif 000021
【図２１】
0006435792.tif 000022
【図２２】
0006435792.tif 000023
【図２３】
0006435792.tif 000024
【図２４】
0006435792.tif 000025
【図２５】
0006435792.tif 000026